(57)【要約】      （修正有）【課題】新規部材を導入せず、専用の加工装置を一式新たに導入する必要なく、また、既存の部材を工夫することで、重量物を手以外の部分で運搬できる包装袋を提供する。【解決手段】保持部３は、横方向の一端部よりも内側の位置から他端部に至る途中まで延びる第１ミシン目と、縦方向の自由端部よりも内側の位置から縦方向に第１ミシン目に至るまで延びる第２ミシン目と、第１ミシン目よりも上側の位置から縦方向に保持部の縦方向の自由端部に至るまで延びる第３ミシン目とを有し、第２ミシン目と第３ミシン目が横方向に所定の間隔で交互に複数設けられ、ミシン目を開裂することにより一つの繋がった帯状体３０を形成し、保持部は、所定間隔で設けられ、複数枚のフィルムシートを接合するための接合部と、第２ミシン目の自由端部側の端部と、第３ミシン目の第１ミシン目側の端部に設けられ、複数枚のフィルムシートを接合しない非接合部とを有する包装袋１。【選択図】図３
2020138753.tif 000002
【特許請求の範囲】
【請求項１】
複数枚のフィルムシートが重ねられて構成され、製品を収納する本体部と、前記本体部の上端側に設けられた保持部とを備えた包装袋であって、
前記保持部は、
下部側に設けられ、横方向の一端部よりも内側の位置から横方向に沿って他端部に至る途中まで延びる第１ミシン目と、
前記縦方向の自由端部よりも内側の位置から縦方向に前記第１ミシン目に至るまで延びる第２ミシン目と、
前記第１ミシン目よりも上側の位置から縦方向に前記保持部の縦方向の自由端部に至るまで延びる第３ミシン目と、を有し、前記第２ミシン目と前記第３ミシン目が横方向に所定の間隔で交互に複数設けられ、前記第１乃至第３ミシン目を開裂することにより一つの繋がった帯状体を形成し、
前記保持部は、
所定間隔で設けられ、前記複数枚のフィルムシートを接合するための接合部と、
前記第２ミシン目の自由端部側の端部と、前記第３ミシン目の前記第１ミシン目側の端部に設けられ、前記複数枚のフィルムシートを接合しない非接合部と、
を有することを特徴とする包装袋。
【請求項２】
前記接合部は、保持部の領域の一部又は全体にわたり分布されていることを特徴とする請求項１に記載の包装袋。
【請求項３】
前記第１乃至第３ミシン目の周辺に設けられ、前記複数の構成シートを接合する熱シール帯を有することを特徴とする請求項１又は請求項２に記載の包装袋。  
【請求項４】
前記熱シール部と前記第１乃至第３ミシン目の間に非熱シール部を有することを特徴とする請求項３に記載の包装袋。
【請求項５】
前記第１乃至第３ミシン目領域の一部又は全部が、他領域と識別可能に構成されていることを特徴とする請求項１から請求項４のいずれか１項に記載の包装袋。
【請求項６】
前記第１乃至第３ミシン目を開裂することにより一つの繋がった帯状体を形成できることを視覚または触覚で認識可能な識別部を有することを特徴とする請求項１から請求項５のいずれか１項に記載の包装袋。
【請求項７】
前記保持部の前記第１ミシン目のさらに下端側に設けられ、保持口を形成する第４ミシン目を有することを特徴とする請求項１から請求項６のいずれか１項に記載の包装袋。    
【発明の詳細な説明】
【技術分野】
【０００１】
本発明は、包装袋に関する。
【背景技術】
【０００２】
トイレットロールやティシュペーパー、生理用品、紙おむつ、おしりふきなどの衛生用品は、消費速度が速いことから、通常、１つのパッケージに複数個が封入され販売されている。例えば、トイレットロールは４Ｒ（ロール）、８Ｒ、１２Ｒ、ティシュペーパーは３Ｂ（ボックス）、５Ｂ、生理用品や紙おむつは２Ｐ（ピース）、おしりふきは３Ｐ、８Ｐ、１０Ｐが市販されている。近年、内容物の数量がさらに多い製品も増えており、例えば、トイレットロールでは１８Ｒ、３０Ｒなどの製品や１ロール当たりの巻き長を増やした製品があり、１商品当たりの重量が重い製品が増えてきている。これらの製品は、一度の購入で多量の内容物を購入することができ、一度購入できれば、しばらく購入しなくてもよいというメリットがある。
【０００３】
しかし、これらの商品を対象として買い物を行う場合のデメリットの１つに、重い製品を手で持って移動する際の手への負荷がある。通常商品は両手のどちらかに掛けて運ぶことが多く、手の平または指への圧力が増えるためである。さらに、１つの商品は重く、容積も大きくなると、その製品が手を塞ぎ易く、他の買い物袋などを運びにくくなるため、購入者はあらかじめ購入時に製品の重量または容量を鵜想定して買い物を最小限に控えなければならないという問題もあった。一方、近年、日本の高齢者は少子高齢化しており、未成年または高齢者の購入者の体力は比較的弱いことから、可能であればより楽に持ち運びできる運搬形態が求められていた。そんな状況の中、製品を手以外の肩にかけたり、背中に背負い運搬するための様々な解決手段が提案されている。
【０００４】
例えば、特許文献１には、テープ部材の両端が本体部の角端面においてそれぞれ接着されているとともに、その接着部以外の部分が本体部の外面と非接着とし、かつ、その自由部分が本体部外面に沿う最短経路の長さよりも長いことを特徴とする包装体が開示されている。
また、特許文献２には、特許文献１記載の自由部分の一部又は全体が本体部の外面に対して剥離可能に仮止めされることを特徴とする包装体が開示されている。
【先行技術文献】
【特許文献】
【０００５】
【特許文献１】特開２０１０−００６４４２号公報
【特許文献２】特開２０１０−０８３４９７号公報
【発明の概要】
【発明が解決しようとする課題】
【０００６】
しかしながら、上記の態様で包装する場合、持ち運ぶためのテープ部材を新たに製品に追加しなければならずコストがかかる問題があった。また追加部材を接合するための専用の加工装置を導入しなければならないという製造上のコストアップの問題もあった。
【０００７】
したがって、本発明は以上の課題に鑑みてなされたものであり、新規部材を導入せず、専用の加工装置を一式新たに導入する必要なく、また、既存の部材を工夫することで、重量物を手以外の部分で運搬できる包装袋を提供することを目的とする。
【課題を解決するための手段】
【０００８】
上記課題を解決するために、（１）本発明の包装袋は、複数枚のフィルムシートが重ねられて構成され、製品を収納する本体部と、前記本体部の上端側に設けられた保持部とを備えた包装袋であって、前記保持部は、下部側に設けられ、横方向の一端部よりも内側の位置から横方向に沿って他端部に至る途中まで延びる第１ミシン目と、前記縦方向の自由端部よりも内側の位置から縦方向に前記第１ミシン目に至るまで延びる第２ミシン目と、前記第１ミシン目よりも上側の位置から縦方向に前記保持部の縦方向の自由端部に至るまで延びる第３ミシン目と、を有し、前記第２ミシン目と前記第３ミシン目が横方向に所定の間隔で交互に複数設けられ、前記第１乃至第３ミシン目を開裂することにより一つの繋がった帯状体を形成し、前記保持部は更に、所定間隔で設けられ、前記複数枚のフィルムシートを接合するための接合部と、前記第２ミシン目の自由端部側の端部と、前記第３ミシン目の前記第１ミシン目側の端部に設けられ、前記複数枚のフィルムシートを接合しない非接合部と、を有する。
【０００９】
（２）上記（１）の包装袋において、前記接合部は、保持部の領域の一部又は全体にわたり分布されていることを特徴とする請求項１に記載の包装袋。
【００１０】
（３）上記（１）又は（２）の包装袋において、前記第１乃至第３ミシン目の周辺に設けられ、前記複数の構成シートを接合する熱シール帯を有する。  
【００１１】
（４）上記（３）の包装袋において、前記熱シール部と前記第１乃至第３ミシン目の間に非熱シール部を有する。
【００１２】
（５）上記（１）〜（４）の包装袋において、前記第１乃至第３ミシン目領域の一部又は全部が、他領域と識別可能に構成されている。
【００１３】
（６）上記（１）〜（５）の包装袋において、前記第１乃至第３ミシン目を開裂することにより一つの繋がった帯状体を形成できることを視覚または触覚で認識可能な識別部を有する。
【００１４】
（７）上記（１）〜（６）の包装袋において、前記保持部の前記第１ミシン目のさらに下端側に設けられ、保持口を形成する第４ミシン目を有する。
【発明の効果】
【００１５】
本発明によれば、新規部材を導入せず、専用の加工装置を一式新たに導入する必要なく、また、既存の部材を工夫することで、重量物を手以外の部分で運搬できる包装袋を提供することができる。
【図面の簡単な説明】
【００１６】
【図１】本発明の実施形態に係る包装袋を示す図である。
【図２】本発明の実施形態に係る包装袋の保持部を拡大して示す図である。
【図３】本発明の実施形態に係る包装袋の保持部の一部が開裂して帯状体となって状態を示す図である。
【図４】本発明の実施形態に係る包装袋の保持部の一部が開裂してできた帯状体の使用状態を示す図である。
【図５】ミシン目の周辺に設けられる熱シール帯について説明する。
【図６】ミシン目と熱シール部の間に設けられる非熱シール部についての説明図である。
【図７】本発明の実施形態に係る包装袋の保持部の接合部と非接合について説明するための図である。
【図８】ミシン目端部の問題点を説明するための図である。
【図９】第２ミシン目の自由端部側の端部と、第３ミシン目の第１ミシン目側の端部に、非接合部を設けた場合の説明図である。
【図１０】識別部について説明する図である。
【発明を実施するための形態】
【００１７】
以下、本発明について、詳細に説明する。
【００１８】
以下、添付図面を参照して、本発明を実施するための形態（以下、実施形態）について詳細に説明するが、これらは例示の目的で掲げたもので、これらにより本発明を限定するものではない。なお、実施形態の説明の全体を通して同じ要素には同じ符号を付する。
【００１９】
図１は、本発明の実施形態に係る包装袋を示す図である。
図１に示すように、本発明の包装袋１は、複数枚のフィルムシートが重ねられて構成され、製品を収納する本体部２と、本体部２の上端側に設けられた保持部３とを備えている。
包装袋１は、複数枚のフィルムシートが重ねられて構成される複層で形成されており、フィルムの材質は、リサイクルに適した熱可塑性樹脂（いわゆるプラスチック）であることが好ましい。具体的には、ポリオレフィン（ポリエチレンやポリプロピレン等）、ポリエステル（ＰＥＴ等）、ポリアミド（ナイロン等）、ポリカーボネート、ポリスチレン、ポリ塩化ビニル等、従来公知の熱可塑性樹脂を挙げることができ、好ましくはポリエチレンである。
【００２０】
包装袋２を構成するフィルムの厚みは、２０μｍ以上５５μｍ以下であることが好ましい。当該フィルムの厚みが２０μｍ未満である場合には、包装加工における熱融着時にフィルムに穴が空きやすくなり、５５μｍを超えるとミシン目２１を開封しづらくなる。本発明では、包装袋２を構成するフィルムの厚みを上記の範囲に調整することにより、包装加工における熱融着時にフィルムに穴が空くことがなく、また、ミシン目２１を開封しやすくすることができる。  包装袋２を構成するフィルムの厚みは、２２μｍ以上４５μｍ以下であることがより好ましく、２４μｍ以上３３μｍ以下であることが更に好ましい。
【００２１】
本体部２は、ここでは製品としてトイレットロールが１２ロール収容されている。
【００２２】
図２は、本発明の実施形態に係る包装袋の保持部を拡大して示す図である。図３は、本発明の実施形態に係る包装袋の保持部の一部が開裂して帯状体となって状態を示す図である。図４は、本発明の実施形態に係る包装袋の保持部の一部が開裂してできた帯状体の使用状態を示す図である。
【００２３】
図２に示すように、保持部３には、第１ミシン目３１と、第２ミシン目３２と、第３ミシン目３３及び第４ミシン目３４が形成されている。
図３に示すように、第１ミシン目３１、第２ミシン目３２及び第３ミシン目３３を開裂することにより一つの繋がった帯状体３０を形成することができる。ミシン目を上手く開裂させて帯状体を形成する方法として、第１ミシン目３１のミシン目強度を第２ミシン目３２及び第３ミシン目３３よりも弱くしてもよく、さらに第３ミシン目３３の開裂強度を第２ミシン目３２よりも強めることが好ましい。このように保持部内側に配されるミシン目の開裂強度を相対的に弱く、且つ、外側に配されるミシン目を相対的に強い設計とすることで、ミシン目不使用者による第３ミシン目３３に対する不意のミシン目開裂を防止できるとともに、ミシン目使用者による第１ミシン目３１及び第２ミシン目３２に対するミシン目開裂を容易にすることができる。
【００２４】
第１ミシン目３１は、下部側に設けられ、横方向の一端部よりも内側の位置から横方向に沿って他端部に至る途中まで延びるよう形成されている。
第２ミシン目３２は、縦方向の自由端部よりも内側の位置から縦方向に第１ミシン目３１に至るまで延びるように形成されている。
第３ミシン目３３は、第１ミシン目３１よりも上側の位置から縦方向に保持部３の縦方向の自由端部に至るまで延びるように形成されている。
第２ミシン目３２と第３ミシン目３３は、横方向に所定の間隔で交互に複数設けられている。
第４ミシン目３４は、保持部３の第１ミシン目３１のさらに下端側に設けられており、保持口３４ａを形成するためのものである。
【００２５】
図４に示すように、この帯状体３０を肩や腕に掛けることで、重たいティッシュ、トイレットロールなどの衛生用品、紙おむつなどの吸収性物品を持ちやすくなる。
【００２６】
次に、ミシン目の周辺に設けられる熱シール帯について説明する。図５は、ミシン目の周辺に設けられる熱シール帯について説明する。
図５に示すように、第１乃至第３ミシン目３１〜３３の周辺には、複数の構成シートを接合する熱シール帯３６を設けることができる。
第１乃至第３ミシン目３１〜３３の周辺に、複数のフィルムを接合する熱シール帯３６を形成することで、複数のフィルムが剥がれにくくなるとともに、帯状体３０の周囲を硬くすることができ、帯状体３０の強度を強くすることができる。このように周囲を熱シール帯で固くすることで複数するフィルムの剛度（硬さ）が向上するため、ミシン目の周辺を持ちやすく、開裂し易くなる。
【００２７】
図６は、ミシン目と熱シール部の間に設けられる非熱シール部についての説明図である。
図６に示すように、熱シール部３６と第１乃至第３ミシン目３１〜３３の間に非熱シール部３５をさらに設けることができる。
熱シール部３６と第１乃至第３ミシン目３１〜３３の間に非熱シール部３５を設けることで、熱シール部３６によって帯状体３０の強度を強くしつつ、非熱シール部３５によって、開裂後のミシン目の肌に接する部分（非熱シール部）の剛度を低く維持で、肌当たりを良好にすることができる。
【００２８】
次に、本発明の実施形態に係る包装袋の保持部の接合部と非接合について説明する。図７は、本発明の実施形態に係る包装袋の保持部の接合部と非接合について説明するための図である。
図７に示すように、又上述したように、包装袋１は複数のフィルムによって構成されているため、この複数のフィルムを接合するための接合部３７が所定間隔で複数設けられている。
接合部３７は、第１ミシン目３１乃至第４ミシン目３４およびその周辺（非熱シール部）を除いた保持部３の領域の一部又は全体にわたり分布されている。
接合部３７は、保持部３の面積に対して３％以上５０％以下で設けられているのが好ましい。
また、保持部３には、第２ミシン目３２の自由端部側の端部と、第３ミシン目３３の第１ミシン目３１側の端部に、複数枚のフィルムシートを接合しない非接合部３８がそれぞれに設けられている。
非接合部３８は、円形状または楕円形の略円形であり、直径または長径が５ｍｍ以上５０ｍｍ以下であることが好ましい。互いの接合部３８は一部交差していてもよい。
【００２９】
図８は、ミシン目端部の問題点を説明するための図である。
図８（ａ）に示すように、第２ミシン目３２の自由端部側の端部３２ａにおいて、第２ミシン目３２の開裂時に、同図（ｂ）に示すように、端部３２ａまで熱シール帯３６によって複数のシートが接合されているため、端部３２ａは固く、伸びにくく、捻れ易くなってしまい、その結果、使用の際、端部３２ａが開きにくく、肩にかけた時の肌当たりが硬くなってしまい、使用感が良くないという問題がある。
【００３０】
図９は、第２ミシン目の自由端部側の端部と、第３ミシン目の第１ミシン目側の端部に、非接合部３８を設けた場合の説明図である。
図９に示すように、第２ミシン目３２の自由端部側の端部と、第３ミシン目３３の第１ミシン目３１側の端部に、複数枚のフィルムシートを接合しない非接合部３８を設けることで、端部は柔らかく、伸び易く、捻れ難くできる。その結果、使用の際、端部は開き易くなり、肩にかけた時の肌当たりが柔らかくできる。
【００３１】
図１０は、識別部について説明する図である。
図１０に示すように、保持部３に、第１乃至第３ミシン目３１〜３３を開裂することにより一つの繋がった帯状体３０を形成できることを視覚または触覚で認識可能な識別部４０を設ける。
利用者は、保持部３に設けられた識別部４０によって、第１乃至第３ミシン目３１〜３３を開裂することにより一つの繋がった帯状体３０を形成できることを認識することができる。
【００３２】
第１ミシン目３１乃至第３ミシン目３３領域の一部又は全部が、他領域と識別可能に構成されている。
第１ミシン目３１〜第３ミシン目３３の領域の一部又は全部にエンボス処理が施されており他領域と識別可能な段差を有する。このため、当領域は保持部３のフィルム部の平面に対して凸部または凹部となっている。
【００３３】
本実施形態によれば、第１ミシン目３１、第２ミシン目３２及び第３ミシン目３３を開裂することにより一つの繋がった帯状体３０を形成することができ、新規部材を導入せず、専用の加工装置を一式新たに導入する必要なく、また、既存の部材を工夫することで、重量物を手以外の部分で運搬できる包装袋を提供することができる。
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３４】
１    包装袋
２    本体部
３    保持部
３１  第１ミシン目
３２  第２ミシン目
３３  第３ミシン目
３４  第４ミシン目
３５  非シール帯
３６  熱シール帯
３７  接合部
３８  非接合部
４０  識別部
【図１】
2020138753.tif 000003
【図２】
2020138753.tif 000004
【図３】
2020138753.tif 000005
【図４】
2020138753.tif 000006
【図５】
2020138753.tif 000007
【図６】
2020138753.tif 000008
【図７】
2020138753.tif 000009
【図８】
2020138753.tif 000010
【図９】
2020138753.tif 000011
【図１０】
2020138753.tif 000012